(57)【特許請求の範囲】
【請求項１】
第１軸に回転可能な状態で結合してなる第１横継ぎ手部と、前記第１軸に直交状態にある縦軸体又は筒体に回転可能な状態で結合してなる縦継ぎ手部と、前記縦軸体又は筒体に直交状態にある第２軸に回転可能な状態で結合してなる第２横継ぎ手部とを有する表示具本体と、からなり、
前記縦軸体は、中央に位置する縦軸と一対の切欠が対向する位置に設けられ且つ内径が筒体の外径よりやや小さい外側壁とで係合溝を形成したものであり、前記筒体は、前記縦軸が嵌入する内孔を有するものであり、前記縦継ぎ手部は、前記係合溝に筒体を押し込んで形成されたものであることを特徴とする掲示物表示具。
【請求項２】
前記表示具本体に、更に、前記第１及び第２横継ぎ手部のいずれか一方に隣り合わせ、両横継ぎ手部の一方の軸に平行状態にある第３軸に回転可能な状態で結合してなるアーム付きの第３横継ぎ手部を設けたことを特徴とする請求項１記載の掲示物表示具。
【請求項３】
前記表示具本体は、設置場所に設置し、前記第１横継ぎ手部の第１軸を有してなる本体支持部と、一端が前記第１軸に回転自在に結合する第１結合部材であり、他端が前記縦継ぎ手部の縦軸体である中間連結体と、一端が前記縦軸体に回転自在に嵌合する筒体であり他端が前記第２横継ぎ手部の第２結合部材を有してなる上部連結体と、一端が前記第２結合部材を軸支する第２軸に回転自在に結合する第２横継ぎ手部材であり他端が前記掲示物の支持体である掲示物支持部と、から構成されることを特徴とする請求項１又は２記載の掲示物表示具。
【請求項４】
前記第１又は第２横継ぎ手部は、それぞれ、軸であるねじ棒と、該ねじ棒に回転可能に軸支される第１又は第２結合部材とで継ぎ手を構成することを特徴とする請求項１〜３のいずれか１項記載の掲示物表示具。
【請求項５】
前記第３横継ぎ手部は、軸であるねじ棒と、該ねじ棒に回転可能に軸支される第３結合部材とで継ぎ手を構成することを特徴とする請求項２記載の掲示物表示具。
【請求項６】
前記第１、第２横継ぎ手部又は縦継ぎ手部は、それぞれ、軸と、該軸に回転可能な弾圧又は弾発状態で結合する弾圧又は弾発部材とで継ぎ手を構成することを特徴とする請求項１〜３のいずれか１項記載の掲示物表示具。
【請求項７】
前記第３横継ぎ手部は、軸と、該軸に回転可能な弾圧又は弾発状態で結合する弾圧又は弾発部材とで継ぎ手を構成することを特徴とする請求項２記載の掲示物表示具。
【発明の詳細な説明】
【０００１】
【発明の属する技術分野】
本発明は、主にコンビニエンスストアーやスーパーの店内やその他の展示場に使用される説明カード等の掲示物を、規則正しく多方向に向けることが可能な掲示物表示具に関する。
【０００２】
【従来の技術】
コンビニエンスストアーやスーパーの店内やその他の展示場等では、説明用のカード等が掲示物表示具に取り付けられ、設置されている。この掲示物表示具は、説明用のカード等が見易く、かつ注目を引き易い方向に自在にシフトできるものが便利で都合がよい。従来、この種の掲示物表示具として、載頭球状型表示具が知られている（実願平４−４４６８０号公報参照）。この載頭球状型表示具５０は、図１０に示すように、両端部に載頭球状凹部５１、５２が開けられた中間連結体５３を有し、この中間連結体５３の一方の載頭球状凹部５１には、設置場所に挟む洗濯バサミ状のクリップ５４の基端側に形成された球状突起５５が、マルチ方向に摺動可能に嵌められ、他方の載頭球状凹部５２には、掲示物５６を支持するホルダー５７の基端側に形成された球状突起５８が、マルチ方向に摺動可能に嵌められてなる。この載頭球状型表示具５０によれば、設置場所にクリップ５４で挟み、ホルダー５７にカード等の掲示物５６を嵌めて、この掲示物５６をホルダー５７或いは中間連結体５３にてマルチ方向に摺動させ、見易くかつ注目を引き易い方向に自在にシフトすることができる。
【０００３】
また、掲示物表示具６０は、表示具本体６１にカード等の掲示物５６を嵌めたものであり、この表示具本体６１は、設置場所に設置するための取付ベース６２と、掲示物５６を支持するためのホルダー６３と、これら取付ベース６２とホルダー６３との間にあって横継ぎ手部６４及び縦継ぎ手部６５により回転自在かつ着脱自在に連結する中間連結体６６とからなる。この掲示物表示具６０は、横継ぎ手部６４が軸６７に回転可能な状態で弾設してなり、縦継ぎ手部６５が軸６７に直交状態にある筒体６８に回転可能な状態で弾設してなり、これら横継ぎ手部６４及び縦継ぎ手部６５のいずれか一方の側に取り付けた掲示物５６を規則正しく一定方向に向けることができるようにしたものである。
【０００４】
【発明が解決しようとする課題】
上記従来の載頭球状型表示具５０は、掲示物５６を見易くかつ注目を引き易い方向に自在にシフトすることができて都合の良いものである。しかしながら、マルチ方向に自在にシフトすることができる反作用として、結果的に微妙なずれが生じやすい。この結果、店内の多数の商品等を多数の載頭球状型表示具５０を用いて掲示した場合、バラバラに向いた状態となり見苦しくなり、これを規則正しい一定方向に向けるとなると微妙な調整を必要とするから、作業者を悩ませることになる。更に、掲示物５６をマルチ方向に自在にシフトし且つ静止させるには、載頭球状凹部５１と球状突起５５との間、載頭球状凹部５２と球状突起５８との間の摩擦係数が極めて限定された範囲内のものとする必要がある。このため、高度の加工技術と摩擦係数が極めて限定された範囲内に維持するための材質選定が難しく、実用的でない。
【０００５】
また、掲示物表示具６０は、規則正しい一定方向に向けることができ、高度の加工技術も必要なく、材質選定の困難さもなく、規則正しい一定方向に向けることができ都合が良いが、逆に、掲示物５６を水平及び垂直方向のみシフトできるようにしたので、逆に様々な売り場の設置条件に適合させることが困難なものとなっている。
【０００６】
従って、本発明の目的は、掲示物を規則正しい一定方向に向けることができ、且つ様々な掲示場所の設置条件に適合させて、静止させることができ、更に、高度の加工技術も必要なく、材質選定の困難さもない掲示物表示具を提供することにある。
【０００７】
【課題を解決するための手段】
かかる状況において、本発明者は、鋭意検討を行った結果、従来の掲示物表示具における水平方向にシフトできる縦継ぎ手部を挟み込むように、垂直方向にシフトできる２つ目の横継ぎ手部を新たに設ければ、様々な掲示場所の条件に適合させ得るのに、掲示物を規則正しい一定方向に向けることができることを見い出し、本発明を完成するに至った。
【０００８】
すなわち、本発明（１）は、第１軸に回転可能な状態で結合してなる第１横継ぎ手部と、前記第１軸に直交状態にある縦軸体又は筒体に回転可能な状態で結合してなる縦継ぎ手部と、前記縦軸体又は筒体に直交状態にある第２軸に回転可能な状態で結合してなる第２横継ぎ手部とを有する表示具本体と、からなり、前記縦軸体は、中央に位置する縦軸と一対の切欠が対向する位置に設けられ且つ内径が筒体の外径よりやや小さい外側壁とで係合溝を形成したものであり、前記筒体は、前記縦軸が嵌入する内孔を有するものであり、前記縦継ぎ手部は、前記係合溝に筒体を押し込んで形成されたものであることを特徴とする掲示物表示具を提供するものである。かかる構成を採ることにより、掲示物を第１及び第２横継ぎ手部により目的方向の縦成分及び掲示内容の方向について対応すると共に、縦継ぎ手部により目的方向の横成分について対応して、最終的に掲示物を目的方向にシフトでき且つ掲示内容も見やすくでき、更に、各継ぎ手部はシフト方向が限定されているから、規則正しい一定方向に向け得、また、各継ぎ手部は回転可能な結合形態であるから掲示物をそのシフトした状態で安定して静止できる。
【０００９】
また、本発明（２）は、更に、前記第１及び第２横継ぎ手部のいずれか一方に隣り合わせ、両横継ぎ手部の一方の軸に平行状態にある第３軸に回転可能な状態で結合してなるアーム付きの第３横継ぎ手部を設けたことを特徴とする前記（１）記載の掲示物表示具を提供するものである。かかる構成を採ることにより、上記機能に加え、アーム及び第３横継ぎ手部により、最大その長さ分だけ掲示物を水平及び垂直に移動できる。
【００１０】
また、本発明（３）は、前記表示具本体は、設置場所に設置し、前記第１横継ぎ手部の第１軸を有してなる本体支持部と、一端が前記第１軸に回転自在に結合する第１結合部材であり、他端が前記縦継ぎ手部の縦軸体である中間連結体と、一端が前記縦軸体に回転自在に嵌合する筒体であり他端が前記第２横継ぎ手部の第２結合部材を有してなる上部連結体と、一端が前記第２結合部材を軸支する第２軸に回転自在に結合する第２横継ぎ手部材であり他端が前記掲示物の支持体である掲示物支持部と、から構成されることを特徴とする前記（１）又は（２）記載の掲示物表示具を提供するものである。かかる構成を採ることにより、掲示物を、取付ベースと中間連結体との間に介在する第１横継ぎ手部並びに上部連結体とホルダーとの間に介在する第２横継ぎ手部により、目的方向の縦成分及び掲示内容の方向について対応すると共に、中間連結体と上部連結体との間に介在する縦継ぎ手部により、横成分について対応して、最終的に掲示物を目的方向にシフトでき且つ掲示内容も見やすくでき、各継ぎ手部は回転可能な結合状態であるから掲示物をそのシフトした状態で安定して静止できる。
【００１１】
また、本発明（４）は、前記第１又は第２横継ぎ手部は、それぞれ、軸であるねじ棒と、該ねじ棒に回転可能に軸支される第１又は第２結合部材とで継ぎ手を構成することを特徴とする前記（１）〜（３）の掲示物表示具を提供するものである。また、本発明（５）は、前記第３横継ぎ手部は、軸であるねじ棒と、該ねじ棒に回転可能に軸支される第３結合部材とで継ぎ手を構成することを特徴とする前記（２）記載の掲示物表示具。また、本発明（６）は、前記第１、第２横継ぎ手部又は縦継ぎ手部は、それぞれ、軸と、該軸に回転可能な弾圧又は弾発状態で結合する弾圧又は弾発部材とで継ぎ手を構成することを特徴とする前記（１）〜（３）の掲示物表示具を提供するものである。また、本発明（７）は、前記第３横継ぎ手部は、軸と、該軸に回転可能な弾圧又は弾発状態で結合する弾圧又は弾発部材とで継ぎ手を構成することを特徴とする前記（２）記載の掲示物表示具を提供するものである。
【００１２】
【発明の実施の形態】
以下、実施の形態を挙げて本発明を図１〜図８に基づいて詳述する。
図１は本発明の第１の実施形態である掲示物表示具の組み立て状態を示す斜視図、図２は本実施の形態例である掲示物表示具の正面図、図３は図２の側面図である。図において、掲示物表示具の表示具本体１は、ねじ棒である第１軸２に回転可能な状態で結合してなる第１横継ぎ手部５と、第１軸２に直交状態にある縦軸体４２に回転可能な状態で結合してなる縦継ぎ手部１２、縦軸体４２に直交状態にあるねじ棒である第２軸１０に回転可能な状態で結合してなる第２横継ぎ手部１１とを有してなり、この表示具本体１が第１及び第２横継ぎ手部５及び１１のいずれか一方の側に取り付けた掲示物Ａを、規則正しい一定方向に向けるようにしたものである。
【００１３】
前記表示具本体１は、設置場所に設置するための本体支持部であるクリップ６と、掲示物Ａを支持するための掲示物支持部であるホルダー８と、これらクリップ６とホルダー８との間にあって第１横継ぎ手部５及び縦継ぎ手部１２並びに縦継ぎ手部１２と第２横継ぎ手部１１により回転自在に連結する中間連結体４並びに上部連結体７と、を主要な構成要素としている。
【００１４】
前記クリップ６は、設置場所に設置するためのクリップ本体６１の一方の把手部６２に第１横継ぎ手部５の一方の構成要素の第１軸であるねじ棒２が挿入可能な貫通孔３１を備える第１両腕継ぎ手部材３が取り付けられている。中間連結体４は、その一端がねじ棒２に結合する第１横継ぎ手部５の他方の構成要素の第１結合部材４５であり、その他端が前記縦継ぎ手部１２の一方の構成要素の縦軸体４２である。第１横継ぎ手部５を形成するには第１両腕継ぎ手部材３の両腕間に第１結合部材４５をはめ込み、貫通孔３１、３１、４１を対向させてねじ棒２を挿入し、ねじ２１とナット２３のねじ込みにより行う。このねじ込みの程度は回転と静止が安定するように行えばよい。この状態で、目的とする方向（図２中矢線Ｂ方向）に摺動させた後そのまま静止状態を保持することができる。
【００１５】
一方、中間連結体４の縦軸体４２は、中央に位置する縦軸４３と外側壁４６とで、上部連結体７の筒体７１が係合する係合溝４４を形成してなるものである。
外側壁４６には一対の切欠が設けられ、その内径は筒体７１の外径よりやや小さく設定されている。また、上部連結体７は一端が縦継ぎ手部１２の一方の構成要素の筒体７１であり、他端が第２横継ぎ手１１の一方の構成要素の第２結合部材７２である。筒体７１には、中間連結体４の縦軸４３が嵌入する内孔が形成され、第２結合部材７２には第２軸であるねじ棒１０の貫通孔７３が形成されている。
【００１６】
中間連結体４に上部連結体７を回転自在に結合させて縦継ぎ手部１２を形成するには、中間連結体４の係合溝４４に、上部連結体７の筒体７１を押し込むことで行う。これにより、上部連結体７は中間連結体４に半割れの外側壁４６のばね作用で回転可能な弾圧状態で装着され、外側壁４６の弾圧力が存在する限り、外側壁４６と筒体７１との間に所定の摩擦力が働き、目的とする方向（図２中矢線Ｃ方向）に摺動させた後そのまま静止状態を保持できる。
【００１７】
ホルダー８は、前記クリップ６と略同一構造のものであり、カード類などの掲示物を挟むためのホルダー本体８１の一方の把手部８２に第２横継ぎ手部１１の一方の構成要素の第２軸であるねじ棒１０が挿入可能な貫通孔９１を備える第２両腕継ぎ手部材９が取り付けられている。第２横継ぎ手部１１を形成するには第２両腕継ぎ手部材９の両腕間に第２結合部材７２をはめ込み、貫通孔９１、９１、７３を対向させてねじ棒１０を挿入し、ねじ１０１とナット１０３のねじ込みにより行う。このねじ込みの程度は回転と静止が安定するように行えばよい。この状態で、目的とする方向（図２中矢線Ｄ方向）に摺動させた後そのまま静止状態を保持することができる。
【００１８】
掲示物表示具本体１の材質は、特に限定がなく、樹脂、金属など使用可能である。また、本発明において、本体支持部であるクリップ６の本体部６１にマグネット、吸盤、平板等を使用することにより、本体支持部は設置場所に適合した種々の固定形態を採ることができる。また、ホルダー８の代わりにカードフレーム、クリップ、バインダー等がある。
【００１９】
次に、本発明の第２の実施形態である掲示物表示具本体及び掲示物表示具を図４〜図８を参照して説明する。図４〜図８において、図１〜図３と同一構成要素には同一符号を付して、その説明を省略し、異なる点についてのみ説明する。すなわち、この掲示物表示具本体１ｂと図１〜３に示す第１の実施形態との相違点は、クリップ６と中間連結体４との間にアーム１３を設けて、このアーム１３とクリップ６との間に介在する第３横継ぎ手部１５により、最大でアーム１３の長さ分だけ水平及び垂直に移動できるようにした点にある。すなわち、このアーム１３は、その一端が第３横継ぎ手部１５の一方の構成要素の第３軸であるねじ棒１４に回転可能に結合する第３結合部材１３２であり、その他端が前記中間連結体４のねじ棒を軸支する第１結合部材４５に嵌合し、ねじ棒２に回転自在に結合する第３両腕継ぎ手部材１３１である。すなわち、この第３横継ぎ手部１５の形成方法は、前記第１横継ぎ手部５の形成方法と同じである。この状態で、目的とする方向（図５及び６中、矢線Ｅ、Ｆ方向）に摺動させた後そのまま静止状態を保持することができる。
【００２０】
この掲示物表示具１ｃは、図７に示すように、アーム３０を水平方向に伸ばすことができるから、図８に示すような陳列具３６の中央に仕切板３７に設置する場合、上記した掲示物表示具１ａではどちらの商品３８、３９の掲示であるか、不明確であったものが、図７に示すようにアーム３０を水平に伸ばせるから、どちらの商品３８、３９の掲示であるか明確となる。
【００２１】
なお、本発明の実施形態である掲示物表示具本体１、１ｂは、第１軸に回転可能な状態で弾圧又は弾発（以下、単に「弾設」という）してなる第１横継ぎ手部と、前記第１軸に直交状態にある縦軸体又は筒体に回転可能な状態で弾設してなる縦継ぎ手部と、前記縦軸体又は筒体に直交状態にある第２軸に回転可能な状態で弾設してなる第２横継ぎ手部とを有する表示具本体と、からなるものであってもよい。この場合、例えば、図１に示す中間連結体４の第１結合部材の先端部を一部切欠いて、回転可能な弾発状態で嵌合させればよい。この形態によれば、第１両腕継ぎ手部材の両腕間に差し渡しで棒部材を固設すればよく、別途部品のねじ棒は不要となる。
【００２２】
以上、本発明の実施形態を説明したが、具体的な構成はこれに限定されず、本発明の要旨を逸脱しない範囲での変更、追加は本発明の範囲内である。
【００２３】
【発明の効果】
以上詳述したように、本発明（１）によれば、掲示物を第１及び第２横継ぎ手部により目的方向の縦成分及び掲示内容の方向について対応すると共に、縦継ぎ手部により目的方向の横成分について対応して、最終的に掲示物を目的方向にシフトでき且つ掲示内容も見やすくでき、更に、各継ぎ手部はシフト方向が限定されているから、規則正しい一定方向に向け得、また、各継ぎ手部は回転可能な結合状態であるから掲示物をそのシフトした状態で静止できる。従って、店内の商品を多数の掲示物表示具を用いて掲示する場合、容易に規則正しい一定方向に整然と向けることができ、且つ様々な掲示場所の条件に適合させ得て静止させることができるから、見栄えが良く顧客に良いイメージを与えることができる。更に、高度の加工技術も必要なく、材質選定も容易である。
【００２４】
本発明（２）によれば、第３横継ぎ手部及びアームにより、最大その長さ分だけ掲示物を水平及び垂直に移動できる。従って、上記効果に加え、設置場所より掲示物をアーム長さ分移動できから、商品等の掲示を明確にし且つ設置場所の制約条件を緩和できる。
【００２５】
本発明（３）によれば、掲示物を、取付ベースと中間連結体との間に介在する第１横継ぎ手部並びに上部連結体とホルダーとの間に介在する第２横継ぎ手部により、目的方向の縦成分及び掲示内容の方向について対応すると共に、中間連結体と上部連結体との間に介在する縦継ぎ手部により、横成分について対応して、最終的に掲示物を目的方向にシフトでき且つ掲示内容も見やすくでき、各継ぎ手部は回転可能な結合状態であるから掲示物をそのシフトした状態で安定して静止できる。本発明（４）〜（７）によれば、上記機能に加え、高度の加工技術の必要もなく、種々の回転可能な結合形態を取り得、選択の自由が高まる。
【図面の簡単な説明】
【図１】本発明の第１の実施の形態である掲示物表示具本体の組み立て状態を示す斜視図。
【図２】本発明の第１の実施の形態である掲示物表示具を示す正面図。
【図３】図２の側面図。
【図４】本発明の第２の実施の形態である掲示物表示具本体の組み立て状態を示す斜視図。
【図５】本発明の第２の実施の形態である掲示物表示具を示す正面図。
【図６】図５の側面図。
【図７】本発明の第２の実施の形態である掲示物表示具の使用状態を示す正面図。
【図８】本発明の第２の実施形態である掲示物表示具の使用箇所を示す斜視図。
【図９】従来例を示す一部を断面した側面図。
【図１０】従来例を示す正面図。
【図１１】従来例を示す側面図。
【符号の説明】
１、１ｂ、６１          掲示物表示具本体
１ａ、１ｃ、６０        掲示物表示具
２                      第１軸（ねじ棒）
３                      第１両腕継ぎ手部材
４、５３、６６          中間連結体
５                      第１横継ぎ手部
６、５４                クリップ
７                      上部連結体
８、５７、６３          ホルダー
９                      第２両腕継ぎ手部材
１０                      第２軸（ねじ棒）
１１                      第２横継ぎ手部
１２、６５                縦継ぎ手部
１３                      アーム
１４                      第３軸（ねじ棒）
１５                      第３横継ぎ手部
６８、７１                筒体
Ａ、５６                掲示物
２４、３４                ベース
２７                    フリーバインダー
３６                    陳列具
３７                    仕切板
３８、３９              商品
５０                    載頭球状型表示具
５１、５２              載頭球状凹部
５５、５８              球状突起
６２                    取付ベース
６４                    横継ぎ手部
６７                    軸
【図１】
0004632328.tif 000002
【図２】
0004632328.tif 000003
【図３】
0004632328.tif 000004
【図４】
0004632328.tif 000005
【図５】
0004632328.tif 000006
【図６】
0004632328.tif 000007
【図７】
0004632328.tif 000008
【図８】
0004632328.tif 000009
【図９】
0004632328.tif 000010
【図１０】
0004632328.tif 000011
【図１１】
0004632328.tif 000012